(57)【要約】【課題】本発明は、使い勝手のよい機能性の高い表示環境が提供できる情報処理装置およびコンピュータの動画表示制御方法を提供することを課題とする。【解決手段】主表示装置１２１に表示された動画の再生画像ウィンドウ上に於いて「副表示装置に表示」ボタンがマウスクリック操作されると、その操作コマンドがＣＰＵ２０１からＵＳＢコントローラ２１０を経由して副表示装置１１２に設けられたマイクロプロセッサ（ＭＰ）１１５に渡される。マイクロプロセッサ１１５は上記操作コマンドを受けると、主表示装置１２１に表示されている動画の再生画像の映像データ（映像フレーム）を映像バッファ（ＢＵＦ）１１６に取り込み、映像バッファ１１６に貯えた映像フレームを上記副表示装置１１２の画面構成並びに予め定められた表示レートに合わせて再構成し、新たな表示フレームを生成して、副表示装置１１２の表示部１１２ｂにその映像を表示する。【選択図】　　図１
2004127048.tif 000002
【特許請求の範囲】
【請求項１】
主操作画面を表示する主表示装置と、
副操作画面を表示する副表示装置と、
前記副表示装置に動画の再生画像を表示させる制御手段と
を具備したことを特徴とする情報処理装置。
【請求項２】
前記副表示装置は、タブレットを一体に設けたタッチスクリーン機能を有して、タッチ操作による副操作画面を表示することを特徴とする請求項１記載の情報処理装置。
【請求項３】
前記制御手段は、前記副表示装置に固有の表示制御手段を有して、前記副表示装置に表示させる動画のフレームを生成し、前記副表示装置に動画の再生画像を表示させることを特徴とする請求項１記載の情報処理装置。
【請求項４】
前記制御手段は、前記主表示装置に表示している動画の再生画像を前記副表示装置に切り替えて表示させる表示切替手段を具備する請求項１記載の情報処理装置。
【請求項５】
前記制御手段は、遠隔操作信号を解読し実行する手段を有して、遠隔操作信号に従い、前記副表示装置に於ける動画の再生画像の表示制御、若しくは前記副表示装置に表示している動画の再生画像を前記主表示装置に切り替えて表示させる表示の切替制御、若しくは前記主表示装置に表示している動画の再生画像を前記副表示装置に切り替えて表示させる表示の切替制御を行うことを特徴とする請求項１記載の情報処理装置。
【請求項６】
前記制御手段は、通信手段を介して動画の再生画像データを取り込む手段を有し、前記通信手段より取り込んだ動画の再生画像データをもとに前記副表示装置に動画の再生画像を表示させる請求項１記載の情報処理装置。
【請求項７】
前記制御手段は、前記副表示装置に、前記主表示装置と異なる動画の再生画像を表示する際に、再生画像に付随する音声の再生出力を無効化する手段を具備する請求項１記載の情報処理装置。
【請求項８】
前記制御手段は、前記副表示装置上のタッチ操作を前記副表示装置に表示された画像に反映させる手段を有して、前記副表示装置に表示された画像を前記副表示装置上のタッチ操作で編集できるようにしたことを特徴とする請求項３記載の情報処理装置。
【請求項９】
マウスポインタ操作が可能な主操作画面を表示する主表示装置と、
所定の操作が可能な副操作画面を表示する副表示装置と、
前記所定の操作により前記副表示装置に画像を表示させる制御手段と
を具備したことを特徴とする情報処理装置。
【請求項１０】
前記制御手段は、前記操作画面上で所定のタップが操作された際に、前記副表示装置に表示している動画の再生画像を前記主表示装置に切り替えて表示させる表示切替制御手段を具備する請求項９記載の情報処理装置。
【請求項１１】
前記制御手段は、前記操作画面上で所定のタップが操作された際に、前記主表示装置に表示している動画の再生画像を前記副表示装置に切り替えて表示させる表示切替制御手段を具備する請求項９記載の情報処理装置。
【請求項１２】
前記制御手段は、前記操作画面上で所定のタップが操作された際に、前記主表示装置に表示している動画の再生画像と前記副表示装置に表示している動画の再生画像とを入れ替えて表示させる表示切替制御手段を具備する請求項９記載の情報処理装置。
【請求項１３】
マウスポインタ操作が可能な主操作画面を表示する主表示装置と、
所定の操作が可能な副操作画面を表示する副表示装置と、
前記副表示装置に、前記所定の操作で前記主表示装置に表示される内容を表示させる制御手段と
を具備したことを特徴とする情報処理装置。
【請求項１４】
前記制御手段は、前記副表示装置の画面上をタッチ操作する都度、スクロールを停止、開始制御する手段を具備する請求項１３記載の情報処理装置。
【請求項１５】
前記制御手段は、前記副表示装置に一度に表示できない文字情報若しくは静止画を前記副表示装置にスクロール表示する手段を具備する請求項１３記載の情報処理装置。
【請求項１６】
前記制御手段は、前記主表示装置に表示された文字情報若しくは静止画を前記副表示装置にスクロール表示する手段を具備する請求項１３記載の情報処理装置。
【請求項１７】
前記制御手段は、前記副表示装置に表示された文字情報若しくは静止画をスクロール表示する手段と、前記スクロールを外部の指示に従い制御する手段とを具備する請求項１３記載の情報処理装置。
【請求項１８】
前記制御手段は、前記副表示装置に表示された文字情報若しくは静止画をスクロールバーとともに表示する手段を具備し、前記スクロールバーのタッチ操作で前記スクロールを制御する請求項１３記載の情報処理装置。
【請求項１９】
前記スクロールバーのタッチ操作位置に応じて、表示範囲の切り替え、若しくはスクロールの方向、若しくはスクロール速度を制御する手段を具備する請求項１８記載の情報処理装置。
【発明の詳細な説明】
【０００１】
【発明の属する技術分野】
本発明は、動画の再生機能をもつ、表示装置を具備した情報処理装置に関する。
【０００２】
【従来の技術】
近年、表示装置を具備した、携行が容易なパーソナルコンピュータ等の情報処理装置に於いては、処理性能の向上並びに処理機能の拡充に伴い、動画の再生画像を含めた各種の映像鑑賞を可能にしている。この種情報処理装置に於いて、例えば動画、静止画等の映像を表示中に、他の処理を実行しようとした際、従来では、カスケード表示、若しくはタイル表示により、作業するウィンドウを開いて、作業を開始している。
【０００３】
しかしながら、カスケード表示により、作業するウィンドウを開く手段に於いては、上記映像が表示されるウィンドウ上に、作業するウィンドウが開かれることから、作業中に映像を目視確認できないという作業性並びに操作性の問題がある。また、タイル表示により、作業するウィンドウを開く手段に於いては、限られた表示領域内に、映像の表示ウィンドウと、作業するウィンドウが並置されることから、作業するウィンドウを大きくとると、映像の目視が困難となり、映像の表示ウィンドウを大きくとると作業性が悪くなるという作業性並びに操作性の問題がある。また、ディスプレイドライバの能力によっては、映像の描画処理が作業ウィンドウの描画処理に影響し、作業に支障きたす場合がある。
【０００４】
一方、昨今の情報処理装置に於いては、上記したような各種のウィンドウを表示する表示装置（例えばカラーＬＣＤモニタ）に加え、小画面構成の表示装置（サブディスプレイ）を具備した装置が開発され提供されている（例えば、特許文献１参照）。
【０００５】
この種サブディスプレイを備えた装置に於いては、サブディスプレイに、例えばＣＤプレーヤの状態、カレンダ、電卓、テンキー等、限られた特定の機能について選択的な表示を可能にしている。
【０００６】
しかしながらこの種装置に於いても、上記したような動画、静止画等の映像を表示中に、他の処理を実行しようとした際、カスケード表示、若しくはタイル表示により、作業するウィンドウを開いて、作業を開始しなければならず、従って上記した作業性、操作性の問題を解消することはできなかった。
【０００７】
【特許文献１】
特開２０００−３３９０９７号公報
【０００８】
【発明が解決しようとする課題】
上述したように従来では、情報処理装置に於いて、動画、静止画等の映像を表示中に、他の処理を実行しようとした際、カスケード表示若しくはタイル表示により、作業するウィンドウを開いて、作業を開始しなければないことから作業性並びに操作性の面で問題があった。
【０００９】
本発明は上記実情に鑑みなされたもので、操作性のよい表示環境を提供できる情報処理装置を提供することを目的とする。
【００１０】
【課題を解決するための手段】
本発明は、特定の操作、作業に用いられる副表示装置に、動画および静止画の再生画像を表示する機構を設けて、主表示装置に表示している動画の再生画像、静止画像等、種々の映像を必要に応じ上記副表示装置に切り替えて表示できる機能を備えたことを特徴とする。
【００１１】
即ち、本発明は、マウスポインタ操作等が可能な主操作画面を表示する主表示装置と、例えばタッチ入力操作等が可能な副操作画面を表示する副表示装置と、上記副表示装置に動画の再生画像を表示させる制御手段とを具備した情報処理装置を特徴とする。
【００１２】
また、上記情報処理装置に於いて、上記主表示装置と上記副表示装置とがそれぞれ装置に固有のディスプレイドライバにより独自に表示制御される構成として、上記主表示装置の表示並びに操作機能に影響を及ぼすことなく、上記副表示装置に動画の再生画像を含んだ種々の映像を表示させる機能を具備したことを特徴とする。
【００１３】
また、上記情報処理装置に於いて、上記副表示装置に、動画の再生画像、およびタップ操作による副操作画面を表示させて、上記タップ操作画面上で所定のタップが操作された際に、上記副表示装置に表示している動画の再生画像を上記主表示装置に切り替えて表示させ、若しくは上記主表示装置に表示している動画の再生画像を上記副表示装置に切り替えて表示させ、若しくは上記主表示装置に表示している動画の再生画像と上記副表示装置に表示している動画の再生画像とを入れ替えて表示させる表示切替制御機能を実現したことを特徴とする。
【００１４】
また、本発明は、主操作画面を表示する主表示装置と、副操作画面を表示する副表示装置とを備えたコンピュータの操作機能拡張方法であって、上記副表示装置に、動画の再生画像を選択的に表示させることを特徴とする。
【００１５】
また、上記コンピュータの動画表示制御方法に於いて、上記動画の再生画像は、上記主表示装置に表示している再生画像の全部若しくは一部、上記副表示装置に固有の予め用意された動画データをもとに再生した画像、外部より供給された動画の再生データをもとに生成した画像のいずれかであることを特徴とする。
【００１６】
上記した本発明の表示機能を備えることにより、例えば主表示装置に表示された動画の再生画像等の映像を目視確認している途中で他の作業が必要となった際に、上記映像の表示を副表示装置に切り替えて上記映像の表示を継続しつつ、主表示装置に上記他の作業の画面（ウィンドウ）を表示して、その画面上で他の作業を開始できる。また、例えばネットワーク経由で送られてくる宣伝、広告等の映像情報を常時目視が可能な副表示装置上に表示し、それ以外の各種作業の情報を主表示装置に表示して、ユーザの作業に支承をきたすことなく、宣伝、広告等の映像を効果的に表示できるシステムを構築できる。また、タッチスクリーン機能をもつ副表示装置上で、映像の切り替え、並びにその映像の編集操作等が可能となる。
【００１７】
【発明の実施の形態】
以下、図面を参照して本発明の実施形態を説明する。
【００１８】
図１は本発明の実施形態に於ける情報処理装置の外観構成を示す斜視図であり、ここでは、ノートブック型パーソナルコンピュータを例に示している。
【００１９】
この図１に示す、本発明の実施形態によるコンピュータは、コンピュータ本体１１と、ディスプレイユニット１２とから構成されている。ディスプレイユニット１２には、ＬＣＤからなる主表示装置（メインディスプレイ）１２１が組み込まれている。このディスプレイユニット１２は、コンピュータ本体１１に対して解放位置と閉塞位置との間を回動自在に取り付けられている。コンピュータ本体１１は薄い箱形の筐体を有しており、その筐体上面には、コンピュータ本体１１の電源をオン／オフするためのパワーボタン１１４、キーボード１１１等が配置され、キーボード１１１の手前の筐体部分上面にはアームレストが形成されている。このアームレストのほぼ中央部には、タッチスクリーン機能を有する副表示装置（サブディスプレイ）１１２が設けられる。この副表示装置１１２は、上記主表示装置１２１より表示面が小さいＬＣＤ等の表示パネルとダブレットとを一体に設けた表示一体型のポインティングデバイスを構成するもので、レフト（左）ボタン１１３ａ、ライト（右）ボタン１１３ｂ、およびミドル（中）ボタン１１３ｃとともに上記アームレストを形成する筐体上面に配置されている。尚、図１では、副表示装置１１２をアームレスト上のディスプレイユニット閉塞面内に配置しているが、ディスプレイユニット１２の開閉状態に拘わらず常時目視が可能な位置に設けることにより、より副表示装置１１２に於ける映像表示機能を拡充できる。この際の副表示装置１１２の具体的な映像表示機能については後述する。
【００２０】
また、上記副表示装置１１２は、当該副表示装置１１２に固有の表示制御手段（ディスプレイドライバ）を有して、副表示装置１１２に表示させる動画のフレームを生成し、副表示装置１１２に動画の再生画像を表示させる動画の再生画像表示機能を有する。この動画の再生画像表示機能を持つことで、副表示装置１１２に固有の動画の再生画像を表示させたり、必要に応じて主表示装置１２１に表示している動画の再生画像を副表示装置１１２に切り替えて表示させたり、更には、主表示装置１２１の表示に関係なく外部の映像コンテンツを再生表示したりすることが可能となる。更に、副表示装置１１２上で、動画の再生画像を含んだ種々の映像を編集処理して、その編集した映像を主表示装置１２１に表示させることも可能となる。これらの副表示装置１１２を用いた具体的な処理機能については後述する。
【００２１】
図２は上記図１に示したコンピュータのシステム構成を示すブロック図である。このコンピュータには、図示するように、ＣＰＵ２０１、ホストブリッジ２０２、主メモリ２０３、グラフィクスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、ＬＡＮコントローラ２２１、赤外線ポート（Ｉｒポート）２２２、サウンドコントローラ２２３、エンベデッドコントローラ／キーボードコントローラＩＣ（ＥＣ／ＫＢＣ）２１１、および電源コントローラ２１３等が設けられている。
【００２２】
ＵＳＢコントローラ２１０には、上記した副表示装置（サブディスプレイ）１１２が接続されている。この副表示装置１１２は、タッチパッド１１２ａと、表示部１１２ｂと、バックライト１１２ｃとが一体化されてタッチスクリーン機能を実現し、レフト（左）ボタン１１３ａ、ライト（右）ボタン１１３ｂ、およびミドル（中）ボタン１１３ｃを含んで構成される。
【００２３】
更に、上記副表示装置１１２には、当該装置に専用のマイクロプロセッサ（ＭＰ）１１５、映像バッファ（ＢＵＦ）１１６等が設けられる。
【００２４】
映像バッファ（ＢＵＦ）１１６は、マイクロプロセッサ（ＭＰ）１１５の制御の下に、ＰＣＩバス１、およびＵＳＢコントローラ２１０を介して入力された、動画の再生画像、静止画像等の映像データを貯える。この際、ＵＳＢコントローラ２１０は、ＣＰＵ２０１の指示に従うＵＳＢドライバの制御で、ＰＣＩバス１上に送出された映像データを取り込み、副表示装置１１２に送出する。
【００２５】
マイクロプロセッサ（ＭＰ）１１５は、上記映像バッファ（ＢＵＦ）１１６に貯えられた映像データ（映像フレーム）を上記副表示装置１１２の画面構成並びに予め定められた表示レートに合わせて再構成し、新たな表示フレームを生成して、副表示装置１１２の表示部１１２ｂを表示駆動制御する。
【００２６】
更に、上記マイクロプロセッサ（ＭＰ）１１５は、上記ＣＰＵ２０１の指示に従い、主表示装置１２１に表示された映像データをＰＣＩバス１、およびＵＳＢコントローラ２１０を介して映像バッファ（ＢＵＦ）１１６に貯える制御、映像バッファ（ＢＵＦ）１１６に表示された映像データを主表示装置１２１に送出する制御、副表示装置１１２上でのタッチ装置による映像の編集処理等、副表示装置１１２の映像表示処理に係わる各種の制御並びに処理機能をもつ。
【００２７】
ＣＰＵ２０１は、本コンピュータの動作を制御するために設けられたもので、ハードディスクドライブ（ＨＤＤ）２０８から主メモリ２０３にロードされたオペレーティングシステムおよびアプリケーションプログラム／ユーティリティプログラムを実行する。この実施形態では、ハードディスクドライブ（ＨＤＤ）２０８に貯えられた動画の再生画像、静止画像等の映像データ、更にはネットワークを経由してＬＡＮコントローラ２２１で受信した動画の再生画像、静止画像等の映像データ等をそれぞれＰＣＩバス１、およびＵＳＢコントローラ２１０を介して副表示装置１１２に設けられたマイクロプロセッサ（ＭＰ）１１５に受け渡す制御を行う。また、赤外線ポート（Ｉｒポート）２２２で受信した、副表示装置１１２の映像表示処理に係わる遠隔操作コマンドをＰＣＩバス１、およびＵＳＢコントローラ２１０を介して副表示装置１１２に設けられたマイクロプロセッサ（ＭＰ）１１５に受け渡す制御を行う。また、副表示装置１１２に表示された映像に対して、付随する音声に選択的にミュートをかける制御を行う。更に、後述する図７に示す副表示装置１１２の表示切替制御、図８、図９に示す副表示装置１１２上での文字情報の表示処理制御を行う。
【００２８】
ホストブリッジ２０２はＣＰＵ２０１のローカルバスとＰＣＩバス１との間を双方向で接続するブリッジデバイスである。グラフィクスコントローラ２０４はビデオＲＡＭ（ＶＲＡＭ）を備え、専用ディスプレイドライバの制御の下に本コンピュータのディスプレイモニタとして使用される主表示装置１２１を制御する。Ｉ／Ｏコントローラ２０７はハードディスクドライブ（ＨＤＤ）２０８、ＣＤ−ＲＯＭドライブ２０９等を制御する。ＰＣＩ−ＩＳＡブリッジ２０６はＰＣＩバス１とＩＳＡバス２を双方向で接続するブリッジデバイスであり、ここには例えばシステムタイマ、ＤＭＡコントローラ、割り込みコントローラなどの各種システムデバイスも内蔵されている。
【００２９】
エンベデッドコントローラ／キーボードコントローラＩＣ（ＥＣ／ＫＢＣ）２１１は、電力管理のためのエンベデッドコントローラ（ＥＣ）とキーボード１１１を制御するためのキーボードコントローラ（ＫＢＣ）とが集積された１チップマイクロコンピュータである。このエンベデッドコントローラ／キーボードコントローラＩＣ（ＥＣ／ＫＢＣ）２１１は、電源コントローラ２１３と協同して、ユーザによるパワーボタン１１４の操作に応じて本コンピュータをパワーオン／パワーオフする機能を有している。
【００３０】
図３乃至図５はそれぞれ上記実施形態に於ける副表示装置１１２の映像表示処理機能を説明するための表示画面の具体例を示したもので、この例では、主表示装置１２１の表示画面上に、マウスポインタで操作される「副表示装置に表示」ボタン３１１が設けられ、副表示装置１１２の表示画面上に、映像切替を指示するタップゾーン（以下「映像切替」ボタンと称す）３２１が設けられる。また、図５に示すスクロール表示を行う副操作画面にはスクロールバー３２２が設けられ、このスクロールバーをタッチ操作することで、そのタッチ位置により、表示範囲の切り替え、スクロールの方向、スクロール速度等を制御できる。
【００３１】
図６は上記実施形態に於ける副表示装置１１２の映像表示処理機能を説明するための映像データの流れを示す図であり、ここでは、一例として、ハードディスクドライブ（ＨＤＤ）２０８から読み出された動画の再生画像、静止画像等の映像データを主表示装置１２１と副表示装置１１２とで切り替えて表示する際の映像データの転送ルートを模式的に示している。同図に於いて（１）は主表示装置１２１への転送ルートを示し、（２）は副表示装置１１２への転送ルートを示している。尚、副表示装置１１２に表示している映像データを主表示装置１２１に切り替えて表示する際は、（２）から（１）へルートを辿ることで、その映像データの転送ルートを容易に理解できる。また、ネットワークを経由してＬＡＮコントローラ２２１で受信した動画の再生画像、静止画像等の映像データについても上記転送ルートと同様に、ＰＣＩバス１を介してデータが受け渡される。
【００３２】
図７は上記実施形態に於ける副表示装置１１２の表示切替制御手順を示すフローチャートであり、マイクロプロセッサ（ＭＰ）１１５の制御の下に実行される。ここでは、図３（ａ）に示す「副表示装置に表示」ボタン３１１がマウスクリック操作されると、そのコマンドをマイクロプロセッサ（ＭＰ）１１５が受けて、例えば動画の映像データを映像バッファ（ＢＵＦ）１１６に取り込み、その映像データ（映像フレーム）を副表示装置１１２の画面構成並びに予め定められた表示レートに合わせて再構成し、新たな表示フレームを生成して、副表示装置１１２の表示部１１２ｂを表示駆動制御する（ステップＳ１〜Ｓ４）。また、図３（ｂ）に示す「映像切替」ボタン３２１がタップ操作されると、ＣＰＵ２０１に表示の切替要求コマンドを送付して、副表示装置１１２に表示していた動画の再生画像を再び主表示装置１２１に表示させ、副表示装置１１２をもとの表示状態（例えば所定のタッチパネル画面）に戻す（ステップＳ５〜Ｓ６）。
【００３３】
図８は上記実施形態に於ける副表示装置１１２上での文字情報の第１の表示処理手順を示すフローチャートであり、マイクロプロセッサ（ＭＰ）１１５の制御の下に実行される。ここでは、動画の再生画像に付随するテロップ表示に於いて、その文字情報を一度に副表示装置１１２の画面に表示できないとき、その文字情報をスクロール表示し（ステップＳ２１〜Ｓ２４）、副表示装置１１２上のタッチ操作で任意にスクロールを停止できる（ステップＳ２５〜Ｓ２７）機能を実現している。
【００３４】
図９は上記実施形態に於ける副表示装置１１２上での文字情報の第２の表示処理手順を示すもので、マイクロプロセッサ（ＭＰ）１１５の制御の下に実行される。ここでは、例えば図５（ａ）に示す、主表示装置１２１上での文書表示について、その一部を副表示装置１１２に表示した際の表示範囲のスクロール制御を実現している。この例では、副表示装置１１２上でタッチ操作が行われる都度、スクロールが停止／再開される（ステップＳ３６〜Ｓ３９）機能を実現している。
【００３５】
ここで、上記各図を参照して本発明の実施形態に於ける動作を説明する。
【００３６】
主表示装置１２１で動画を再生中、その動画の再生画像を以下の操作で副表示装置１１２に切り替えて表示することができる。
【００３７】
この際は、図３（ａ）に示す主表示装置１２１に表示された動画の再生画像のウィンドウ上に於いて、右クリックメニューにより「副表示装置に表示」ボタン３１１を選択し操作することで、主表示装置１２１に表示されている動画の再生画像を図３（ｂ）に示すように副表示装置１１２に表示できる。
【００３８】
この際は、図３（ａ）に示す主表示装置１２１に表示された動画の再生画像ウィンドウ上に於いて「副表示装置に表示」ボタン３１１がマウスクリック操作されると、その操作コマンドがＣＰＵ２０１からＵＳＢコントローラ２１０を経由して副表示装置１１２に設けられたマイクロプロセッサ（ＭＰ）１１５に受け渡される。
【００３９】
マイクロプロセッサ（ＭＰ）１１５は上記「副表示装置に表示」ボタン３１１のマウスクリック操作に伴う操作コマンドを受けると、主表示装置１２１に表示されている動画の再生画像の映像データ（映像フレーム）を映像バッファ（ＢＵＦ）１１６に取り込み、その映像バッファ（ＢＵＦ）１１６に貯えた映像データ（映像フレーム）を上記副表示装置１１２の画面構成並びに予め定められた表示レートに合わせて再構成し、新たな表示フレームを生成して、副表示装置１１２の表示部１１２ｂを表示駆動制御する。
【００４０】
この際の映像データの転送ルートの切替え例を図６に示している。ここでは、一例として、ハードディスクドライブ（ＨＤＤ）２０８から読み出された動画の再生画像、静止画像等の映像データを主表示装置１２１から副表示装置１１２に切り替えて表示する際の映像データの転送ルートを模式的に示している。
【００４１】
また、この際の副表示装置１１２の表示切替制御手順を図７に示している。マイクロプロセッサ（ＭＰ）１１５は、上記図３（ａ）に示す「副表示装置に表示」ボタン３１１のマウスクリック操作に伴う操作コマンドを受けると（図７ステップＳ１）、例えばハードディスクドライブ（ＨＤＤ）２０８から読み出された動画の映像データを映像バッファ（ＢＵＦ）１１６に取り込み（図７ステップＳ２）、その映像データ（映像フレーム）を副表示装置１１２の画面構成並びに予め定められた表示レートに合わせて再構成し、新たな表示フレームを生成して（図７ステップＳ３）、副表示装置１１２の表示部１１２ｂを表示駆動制御し、図３（ｂ）に示すように上記主表示装置１２１に表示されていた動画の再生画像を継続して副表示装置１１２に表示する（図７ステップＳ４）。この際、副表示装置１１２には、図３（ｂ）に示すように、例えば動画の再生画像の右上隅に「映像切替」ボタン３２１が併せて表示される。この「映像切替」ボタン３２１がタップ操作されると、マイクロプロセッサ（ＭＰ）１１５は、ＣＰＵ２０１に表示の切替要求コマンドを送付して、副表示装置１１２に表示していた動画の再生画像を再び主表示装置１２１に表示させ、副表示装置１１２をもとの表示状態（例えば所定のタッチパネル画面）に戻す（ステップＳ５〜Ｓ６）。
【００４２】
このようにして、主表示装置１２１に表示されていた動画の再生画像を副表示装置１１２に切り替えて表示できる。これにより、例えば主表示装置１２１に表示された動画の再生画像等の映像を目視確認している途中で、他の作業が必要となった際に、上記映像の表示を副表示装置１１２に切り替えて上記映像の表示を継続しつつ、主表示装置１２１に上記他の作業の画面（ウィンドウ）を表示して、その画面上で他の作業を開始できる。この際の画面切替に伴う主表示装置１２１と副表示装置１１２の各表示例を図８（ａ）（ｂ）に示している。尚、この際は、ＣＰＵ２０１が主表示装置１２１に表示している映像に音声が伴うか否かを認識して、主表示装置１２１に表示される映像に音声が伴うとき、サウンドコントローラ２２３を制御し、副表示装置１１２に表示されている映像に付随する音声に対してミュートをかける。
【００４３】
また、上記した映像の切替操作は、「副表示装置に表示」ボタン３１１、「映像切替」ボタン３２１の操作以外に、リモートコントローラを用いた遠隔操作によっても可能である。この際は、ＣＰＵ２０１が赤外線ポート（Ｉｒポート）２２２で受信した、副表示装置１１２の映像表示処理に係わる遠隔操作コマンドをＰＣＩバス１、およびＵＳＢコントローラ２１０を介して副表示装置１１２に設けたマイクロプロセッサ（ＭＰ）１１５に受け渡すことによって、マイクロプロセッサ（ＭＰ）１１５の制御の下に、上記した「副表示装置に表示」ボタン３１１、「映像切替」ボタン３２１の操作時と同様の表示切替が行われる。
【００４４】
また、図３（ｂ）に示すように、副表示装置１１２に動画の再生画像が表示された状態で、副表示装置１１２に表示された映像を副表示装置１１２のタッチ操作で編集することも可能である。この際は、マイクロプロセッサ（ＭＰ）１１５の制御の下に、タッチパッド１１２ａ上の操作の内容がマイクロプロセッサ（ＭＰ）１１５により認識され、その操作に伴うコマンド処理およびデータ処理によって副表示装置１１２上での映像の編集が可能となる。
【００４５】
また、上記副表示装置１１２上に於ける動画の再生時に於いて、動画の再生画像にテロップ表示が付随するとき、そのテロップ表示についてマイクロプロセッサ（ＭＰ）１１５の制御の下に図８に示すような副表示装置１１２上での文字情報の表示処理制御が行われる。マイクロプロセッサ（ＭＰ）１１５は、動画の再生画像に付随するテロップ表示に於いて、各表示フレームに於いて、その画面上に表示する文字情報を取得し（図８ステップＳ２１）、その文字情報を一度に副表示装置１１２の画面に表示できないと判断したとき（図８ステップＳ２２　ＹＥＳ）、その文字情報をスクロール表示する（図８ステップＳ２３）。更にこのテロップ（スクロール）表示の際に、副表示装置１１２上でタッチ操作が行われると（図８ステップＳ２５　ＹＥＳ）、上記スクロールを停止し（図８ステップＳ２６）、再度、副表示装置１１２上でタッチ操作が行われると（図８ステップＳ２７　ＹＥＳ）、スクロールを再開する。
【００４６】
また、上記副表示装置１１２上に於ける静止画の表示時に於いて、その一部を副表示装置１１２に表示した際は、その表示範囲についてスクロール制御が可能である。例えば図５（ａ）に示す、主表示装置１２１上での文書表示について、その一部を図５（ｂ）に示すように副表示装置１１２に表示している際、マイクロプロセッサ（ＭＰ）１１５の制御の下に図９に示すような表示範囲のスクロール制御が行われる。マイクロプロセッサ（ＭＰ）１１５はＵＳＢコントローラ２１０を介して主表示装置１２１の表示データ（ここでは１画面分のキャラクタデータ）を取得すると（図９ステップＳ３２）、その表示データのうち、副表示装置１１２で表示可能な表示範囲の一部データをもとに副表示装置１１２に表示する表示画面を生成し（図９ステップＳ３３）、副表示装置１１２に表示する（図９ステップＳ３４）。その後、未表示領域のデータについて（図９ステップＳ３５）順次スクロール表示を行う（図９ステップＳ３６）。このスクロール表示時に於いて、副表示装置１１２上でタッチ操作が行われると（図９ステップＳ３７ＹＥＳ）、スクロールを停止し（図９ステップＳ３８）、再び副表示装置１１２上でタッチ操作が行われると（図９ステップＳ３９　ＹＥＳ）、スクロールを再開する。
【００４７】
また、主表示装置１２１に表示された文書の一部が副表示装置１１２にスクロール表示されている際に、副表示装置１１２に、図５（ｂ）に示すように、スクロールバー３２２を同時に表示して、現在の表示範囲を明示するとともに、このスクロールバー３２２をタッチ操作することで、そのタッチ位置により、表示範囲の切り替え、スクロールの方向、スクロール速度等を制御することもできる。尚、図５（ｂ）に示す表示形態は、縦スクロールのスクロールバーのみを表示し、横スクロールについては、レフト（左）ボタン１１３ａと、ライト（右）ボタン１１３ｂを操作してスクロール制御を行う例を示している。
【００４８】
上記した本発明の実施形態に於ける表示制御機能を備えることにより、例えば主表示装置１２１に表示された動画の再生画像等の映像を目視確認している途中で他の作業が必要となった際に、上記映像の表示を副表示装置１１２に切り替えて上記映像の表示を継続しつつ、主表示装置１２１に上記他の作業の画面（ウィンドウ）を表示して、その画面上で他の作業を開始できる。また、例えばネットワーク経由で送られてくる宣伝、広告等の映像情報を常時目視が可能な副表示装置１１２上に表示し、それ以外の各種作業の情報を主表示装置１２１に表示して、ユーザの作業に支承をきたすことなく、宣伝、広告等の映像を効果的に表示できるシステムを構築することも可能である。また、タッチスクリーン機能をもつ副表示装置１１２上に於いて、映像の切り替え、並びにその映像の編集操作等が可能となる。これにより、使い勝手のよい機能性の高い表示環境が提供できる。
【００４９】
【発明の効果】
以上詳記したように本発明によれば、使い勝手のよい機能性の高い表示環境が提供できる。
【図面の簡単な説明】
【図１】本発明の実施形態に於ける情報処理装置の外観構成を示す斜視図。
【図２】上記実施形態に於けるコンピュータのシステム構成を示すブロック図。
【図３】上記実施形態の動作説明図。
【図４】上記実施形態の動作説明図。
【図５】上記実施形態の動作説明図。
【図６】上記実施形態に於ける表示動作を示す図。
【図７】上記実施形態に於ける副表示装置の表示切替制御手順を示すフローチャート。
【図８】上記実施形態に於ける副表示装置上での文字情報の第１の表示処理手順を示すフローチャート。
【図９】上記実施形態に於ける副表示装置上での文字情報の第２の表示処理手順を示すフローチャート。
【符号の説明】
１…ＰＣＩバス
２…ＩＳＡバス
１１…コンピュータ本体
１２…ディスプレイユニット
１０６…外部ディスプレイ
１１１…キーボード
１１２…表示（サブディスプレイ）一体型のポインティングデバイス（ｃＰａｄデバイス）
１１２ａ…タッチパッド
１１２ｂ…表示部
１１２ｃ…バックライト
１１３ａ…ライトボタン
１１３ｂ…ライトボタン
１１３ｃ…ミドルボタン
１１４…パワーボタン
１１５…マイクロプロセッサ（ＭＰ）
１１６…映像バッファ（ＢＵＦ）
１２１…ディスプレイスクリーン（メインディスプレイ）
２０１…ＣＰＵ
２０２…ホストブリッジ
２０３…主メモリ
２０４…グラフィクスコントローラ
２０６…ＰＣＩ−ＩＳＡブリッジ
２０７…Ｉ／Ｏコントローラ
２０８…ハードディスクドライブ（ＨＤＤ）
２０９…ＣＤ−ＲＯＭドライブ
２１０…ＵＳＢコントローラ
２１１…エンベデッドコントローラ／キーボードコントローラＩＣ（ＥＣ／ＫＢＣ）
２１３…電源コントローラ
２２１…ＬＡＮコントローラ
２２２…赤外線ポート（Ｉｒポート）
２２３…サウンドコントローラ
３１１…「副表示装置に表示」ボタン
３２１…「映像切替」ボタン（タップゾーン）
【図１】
2004127048.tif 000003
【図２】
2004127048.tif 000004
【図３】
2004127048.tif 000005
【図４】
2004127048.tif 000006
【図５】
2004127048.tif 000007
【図６】
2004127048.tif 000008
【図７】
2004127048.tif 000009
【図８】
2004127048.tif 000010
【図９】
2004127048.tif 000011